(57)【特許請求の範囲】
【請求項１】
回転軸と、
前記回転軸に設けられて前記回転軸の軸方向への移動を規制するスラスト軸受と、
軸方向で前記スラスト軸受に隣接し前記回転軸を囲むように円弧上に形成され下方が開放して設けられた油溜空間が形成されていると共に、前記油溜空間において前記回転軸の中心を通過する水平面以下の領域で前記スラスト軸受側に突出しつつ前記回転軸の回転方向に沿って軸方向に対して傾斜する傾斜面が形成された油溜部と、
を備え、
前記スラスト軸受は、下方に切欠が形成されており、当該切欠の開口端が前記傾斜面に連続する傾斜面を有することを特徴とする軸受装置。
【請求項２】
前記油溜部は、前記回転軸および前記スラスト軸受を収容するベアリングハウジングに対して、前記スラスト軸受を支持するインサート部と、前記スラスト軸受との間に設けられる板状のディフレクターからなることを特徴とする請求項１に記載の軸受装置。
【請求項３】
前記油溜部は、前記回転軸および前記スラスト軸受を収容するベアリングハウジングに対して、前記スラスト軸受を支持するインサート部からなることを特徴とする請求項１に記載の軸受装置。
【請求項４】
タービンと、
コンプレッサと、
前記タービンと前記コンプレッサとを同軸上に連結する回転軸と、
前記回転軸に設けられて前記回転軸の軸方向への移動を規制するスラスト軸受と、
請求項１〜３のいずれか１つに記載の軸受装置と、
を備えることを特徴とする排気タービン過給機。
【発明の詳細な説明】
【技術分野】
【０００１】
本発明は、軸受装置および当該軸受装置が適用される排気タービン過給機に関する。
【背景技術】
【０００２】
従来、例えば、特許文献１は、過給機のオイル漏れ防止装置について記載されている。この過給機において、回転軸のスラストを受けるため、回転軸上にスラストブッシュを回転可能に設けると共に、ベアリングハウジングに対して固定したスラストディスクをスラストブッシュに形成される環状溝に係合してスラスト軸受を構成している。このスラスト軸受は、潤滑油が供給されて焼き付きが防止される。スラスト軸受に供給された潤滑油の一部は、ディフレクターにより受容されてディフレクターの下端の舌片を介してベアリングハウジングの下方に排出される。
【先行技術文献】
【特許文献】
【０００３】
【特許文献１】特開平１１−２１３６号公報
【発明の概要】
【発明が解決しようとする課題】
【０００４】
しかしながら、スラスト軸受からディフレクターへの潤滑油量が増加し、ディフレクター内に潤滑油が充満すると、回転軸の回転においてディフレクターから潤滑油が排出されずにディフレクター内に再流入して攪拌抵抗により損失が発生する。しかも、ディフレクター内に潤滑油が充満すると、ディフレクターとスラストブッシュとの摺動面であるシール面から潤滑油が漏れ出てシール性が低下するおそれがある。従って、スラスト軸受での潤滑油の排出性を向上することが望まれている。【０００５】
本発明は、上述した課題を解決するものであり、スラスト軸受での潤滑油の排出性を向上することのできる軸受装置および排気タービン過給機を提供することを目的とする。
【課題を解決するための手段】
【０００６】
上述の目的を達成するために、本発明の軸受装置は、回転軸と、前記回転軸に設けられて前記回転軸の軸方向への移動を規制するスラスト軸受と、軸方向で前記スラスト軸受に隣接し前記回転軸を囲むように円弧上に形成され下方が開放して設けられた油溜空間が形成されていると共に、前記油溜空間において前記回転軸の中心を通過する水平面以下の領域で前記スラスト軸受側に突出しつつ前記回転軸の回転方向に沿って傾斜する傾斜面が形成された油溜部と、を備えることを特徴とする。【０００７】
この軸受装置によれば、スラスト軸受から油溜空間に至った潤滑油は、油溜空間の下方へ流れるが、回転軸の回転方向において、油溜空間の円弧に沿って流動する。そして、回転軸の中心を通過する水平面以下の領域で流動する潤滑油は、傾斜面に案内されてスラスト軸受側に送り出される。この結果、油溜空間を流動する潤滑油が油溜空間内に再流入することを阻止でき、スラスト軸受での潤滑油の排出性を向上することができる。【０００８】
また、本発明の軸受装置では、前記油溜部は、前記回転軸および前記スラスト軸受を収容するベアリングハウジングに対して、前記スラスト軸受を支持するインサート部と、前記スラスト軸受との間に設けられる板状のディフレクターからなることを特徴とする。【０００９】
この軸受装置によれば、ディフレクターに油溜部の機能を設け、スラスト軸受での潤滑油の排出性を向上することができる。【００１０】
また、本発明の軸受装置では、前記油溜部は、前記回転軸および前記スラスト軸受を収容するベアリングハウジングに対して、前記スラスト軸受を支持するインサート部からなることを特徴とする。【００１１】
この軸受装置によれば、インサート部に油溜部の機能を設け、スラスト軸受での潤滑油の排出性を向上することができる。【００１２】
また、本発明の軸受装置では、前記スラスト軸受は、下方に切欠が形成されており、当該切欠の開口端が前記傾斜面に連続して設けられていることを特徴とする。【００１３】
この軸受装置によれば、傾斜面に切欠の開口端が一致していると、切欠の開口端で傾斜面に案内された潤滑油が切られることになり、油溜空間を流動する潤滑油が油溜空間内に再流入することを阻止する効果を顕著に得ることができる。【００１４】
また、本発明の軸受装置では、前記切欠の開口端が前記傾斜面に連続する傾斜面を有することを特徴とする。【００１５】
この軸受装置によれば、切欠の開口端が傾斜面を有して形成されていることで、切欠の開口端で傾斜面に案内された潤滑油が開口端の傾斜面によりさらに開放された外側に案内されつつ切られることになり、油溜空間を流動する潤滑油が油溜空間内に再流入することを阻止する効果をより顕著に得ることができる。【００１６】
上述の目的を達成するために、本発明の排気タービン過給機は、タービンと、コンプレッサと、前記タービンと前記コンプレッサとを同軸上に連結する回転軸と、前記回転軸に設けられて前記回転軸の軸方向への移動を規制するスラスト軸受と、上述したいずれか１つの軸受装置と、を備えることを特徴とする。【００１７】
この排気タービン過給機によれば、スラスト軸受での潤滑油の排出性を向上することができ、攪拌抵抗により回転軸の回転に損失が発生したり、シール面から潤滑油が漏れ出てシール性が低下したりする事態を防止できる。この結果、高効率化を図ることができる。
【発明の効果】
【００１８】
本発明によれば、スラスト軸受での潤滑油の排出性を向上することができる。
【図面の簡単な説明】
【００１９】
【図１】図１は、本発明の実施形態に係る排気タービン過給機の全体構成図である。
【図２】図２は、本発明の実施形態に係る排気タービン過給機の軸受部分の拡大図である。
【図３】図３は、本発明の実施形態に係る排気タービン過給機の軸受部分の拡大図である。
【図４】図４は、本発明の実施形態に係る排気タービン過給機の他の例の全体構成図である。
【図５】図５は、本発明の実施形態に係る軸受装置の一例を示す拡大斜視図である。
【図６】図６は、本発明の実施形態に係る軸受装置の一例を示す拡大正面図である。
【図７】図７は、図６におけるＡ−Ａ断面図である。
【図８】図８は、図６におけるＢ−Ｂ断面図である。
【図９】図９は、本発明の実施形態に係る軸受装置の一例を示す拡大正面図である。
【図１０】図１０は、本発明の実施形態に係る軸受装置の一例を示す拡大斜視図である。
【図１１】図１１は、本発明の実施形態に係る軸受装置の一例を示す拡大正面図である。
【図１２】図１２は、図１１におけるＣ−Ｃ断面図である。
【図１３】図１３は、図１１におけるＤ−Ｄ断面図である。
【発明を実施するための形態】
【００２０】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２１】
図１は、本実施形態に係る排気タービン過給機の全体構成図である。図２は、本実施形態に係る排気タービン過給機の軸受部分の拡大図である。図３は、本実施形態に係る排気タービン過給機の軸受部分の拡大図である。
【００２２】
図１に示す排気タービン過給機１１は、主に、タービン１２と、コンプレッサ１３と、回転軸１４と、により構成され、これらがハウジング１５内に収容されている。
【００２３】
ハウジング１５は、内部が中空に形成され、タービン１２の構成を収容する第一空間部Ｓ１をなすタービンハウジング１５Ａと、コンプレッサ１３の構成を収容する第二空間部Ｓ２をなすコンプレッサカバー１５Ｂと、回転軸１４を収容する第三空間部Ｓ３をなすベアリングハウジング１５Ｃと、を有する。ベアリングハウジング１５Ｃの第三空間部Ｓ３は、タービンハウジング１５Ａの第一空間部Ｓ１とコンプレッサカバー１５Ｂの第二空間部Ｓ２との間に位置している。
【００２４】
回転軸１４は、タービン１２側の端部がタービン側軸受であるジャーナル軸受２１により回転自在に支持され、コンプレッサ１３側の端部がコンプレッサ側軸受であるジャーナル軸受２２により回転自在に支持され、かつスラスト軸受２３により回転軸１４が延在する軸方向への移動を規制されている。また、回転軸１４は、軸方向における一端部にタービン１２のタービンディスク２４が固定されている。タービンディスク２４は、タービンハウジング１５Ａの第一空間部Ｓ１に収容され、外周部に軸流型をなす複数のタービン翼２５が周方向に所定間隔で設けられている。さらに、回転軸１４は、軸方向における他端部に、コンプレッサ１３のコンプレッサ羽根車３１が固定されており、コンプレッサ羽根車３１は、コンプレッサカバー１５Ｂの第二空間部Ｓ２に収容され、外周部に複数のブレード３２が周方向に所定間隔で設けられている。
【００２５】
また、タービンハウジング１５Ａは、タービン翼２５に対して排気ガスの入口通路２６と排気ガスの出口通路２７が設けられている。そして、タービンハウジング１５Ａは、入口通路２６とタービン翼２５との間にタービンノズル２８が設けられており、このタービンノズル２８により静圧膨張された軸方向の排気ガス流が複数のタービン翼２５に導かれることで、タービン１２を駆動回転することができる。さらに、コンプレッサカバー１５Ｂは、コンプレッサ羽根車３１に対して空気取込口３３と圧縮空気吐出口３４が設けられている。そして、コンプレッサカバー１５Ｂは、コンプレッサ羽根車３１と圧縮空気吐出口３４との間にディフューザ３５が設けられている。コンプレッサ羽根車３１により圧縮された空気は、ディフューザ３５を通って排出される。
【００２６】
このように構成された、排気タービン過給機１１は、エンジン（図示せず）から排出された排ガスによりタービン１２が駆動し、タービン１２の回転が回転軸１４に伝達されてコンプレッサ１３が駆動し、このコンプレッサ１３が燃焼用気体を圧縮してエンジンに供給する。従って、エンジンからの排気ガスは、排気ガスの入口通路２６を通り、タービンノズル２８により静圧膨張され、軸方向の排気ガス流が複数のタービン翼２５に導かれることで、複数のタービン翼２５が固定されたタービンディスク２４を介してタービン１２が駆動回転する。そして、複数のタービン翼２５を駆動した排気ガスは、出口通路２７から外部に排出される。一方、タービン１２により回転軸１４が回転すると、一体のコンプレッサ羽根車３１が回転し、空気取込口３３を通って空気が吸入される。吸入された空気は、コンプレッサ羽根車３１で加圧されて圧縮空気となり、この圧縮空気は、ディフューザ３５を通り、圧縮空気吐出口３４からエンジンに供給される。
【００２７】
また、排気タービン過給機１１において、ベアリングハウジング１５Ｃは、ジャーナル軸受２１，２２およびスラスト軸受２３に潤滑油を供給する潤滑油供給通路４０が設けられている。潤滑油供給通路４０は、ベアリングハウジング１５Ｃの上部に径方向に沿う第一供給通路４１と、ベアリングハウジング１５Ｃの上部に軸方向に沿う第二供給通路４２と、ジャーナル軸受２１に連通する第三供給通路４３と、ジャーナル軸受２２に連通する第四供給通路４４と、スラスト軸受２３に連通する第五供給通路４５とから構成されている。第一供給通路４１は、基端部が潤滑油タンク（図示略）に連結され、先端部が第二供給通路４２の中間部に連通している。第三供給通路４３は、基端部が第二供給通路４２に連通し先端部がジャーナル軸受２１に連通している。第四供給通路４４は、基端部が第二供給通路４２に連通し先端部がジャーナル軸受２２に連通している。第五供給通路４５は、基端部が第二供給通路４２に連通し先端部がスラスト軸受２３に連通している。
【００２８】
ジャーナル軸受２１，２２は、図１〜図３に示すように、円筒形状に形成されている。ジャーナル軸受２１，２２は、ベアリングハウジング１５Ｃにおいて第三空間部Ｓ３に設けられた支持部１６がなす円柱状の空間に収容されている。各ジャーナル軸受２１，２２を支持する支持部１６は、ジャーナル軸受２１，２２の間で第三空間部Ｓ３の下方に通じる通路１６ｂが形成されている。
【００２９】
ジャーナル軸受２１は、図２に示すように、外周面２１ｂが支持部１６の内面１６ａとの間で回転自在に支持され、内周面２１ｃと回転軸１４の外周面１４ａとの間で回転軸１４を回転自在に支持する。ジャーナル軸受２１は、外周面２１ｂに向けて第三供給通路４３の先端部が連通されている。さらに、ジャーナル軸受２１は、外周面２１ｂから内周面２１ｃに貫通する通路２１ａが形成され、通路２１ａにより第三供給通路４３から外周面２１ｂに供給された潤滑油が内周面２１ｃと回転軸１４の外周面１４ａとの間に導かれる。従って、ジャーナル軸受２１は、外周面２１ｂと支持部１６の内面１６ａとの間に供給された潤滑油により支持部１６に回転自在に支持されると共に、内周面２１ｃと回転軸１４の外周面１４ａとの間に供給された潤滑油により回転軸１４を回転自在に支持する。
【００３０】
ここで、図１に示すように、タービン１２のタービンディスク２４は、軸方向でジャーナル軸受２１に隣接して配置されるようにコンプレッサ１３側に突出するボス部２４ａが設けられている。ボス部２４ａは、円筒形状に形成され、回転軸１４においてタービン１２側の端部が段部１４ｂを介して細径に形成された部分に嵌め入れられ、当該段部１４ｂに当接して軸方向で位置決めされている。ボス部２４ａにおいて段部１４ｂに当接する部分は、図２に示すように、支持部１６がなす円柱状の空間のタービン１２側の開口を覆う円盤部材であり、軸方向でジャーナル軸受２１の側面部２１ｄと間隔Ｄをおいて対面して配置される対面部２４ａａを有する。また、ベアリングハウジング１５Ｃは、ボス部２４ａの外周部に排油空間室４７が形成されている。また、タービン１２のタービンディスク２４は、軸方向でボス部２４ａとタービンディスク２４との間にシール部２４ｂが形成されている。シール部２４ｂは、ベアリングハウジング１５Ｃとの間にシール部を形成する。
【００３１】
ジャーナル軸受２１において、外周面２１ｂ側および内周面２１ｃ側に供給された潤滑油は、コンプレッサ１３側では、支持部１６の通路１６ｂから第三空間部Ｓ３の下方へ流れる。一方、ジャーナル軸受２１において、外周面２１ｂ側および内周面２１ｃ側に供給された潤滑油は、タービン１２側では、側面部２１ｄ側に流れ、対面するボス部２４ａの対面部２４ａａにおいて回転軸１４の回転の遠心力により径方向外側に送られてボス部２４ａの外周部の排油空間室４７に至り、当該排油空間室４７から第三空間部Ｓ３の下方へ流れる。
【００３２】
ジャーナル軸受２２は、図３に示すように、外周面２２ｂが支持部１６の内面１６ａとの間で回転自在に支持され、内周面２２ｃと回転軸１４の外周面１４ａとの間で回転軸１４を回転自在に支持する。ジャーナル軸受２２は、外周面２２ｂに向けて第四供給通路４４の先端部が連通されている。さらに、ジャーナル軸受２２は、外周面２２ｂから内周面２２ｃに貫通する通路２２ａが形成され、通路２２ａにより第四供給通路４４から外周面２２ｂに供給された潤滑油が内周面２２ｃと回転軸１４の外周面１４ａとの間に導かれる。従って、ジャーナル軸受２２は、外周面２２ｂと支持部１６の内面１６ａとの間に供給された潤滑油により支持部１６に回転自在に支持されると共に、内周面２２ｃと回転軸１４の外周面１４ａとの間に供給された潤滑油により回転軸１４を回転自在に支持する。
【００３３】
スラスト軸受２３は、図１に示すように、回転軸１４の軸方向でジャーナル軸受２２に隣接してコンプレッサ１３側に配置されている。スラスト軸受２３は、図３に示すように、回転軸１４が挿通される挿通穴２３ａを有して板状に形成され、ベアリングハウジング１５Ｃに固定されている。スラスト軸受２３は、スラストリング１７およびスラストスリーブ１８を介して回転軸１４の軸方向の移動を規制する。
【００３４】
スラストリング１７は、図３に示すように、ボス部１７ａおよびフランジ部１７ｂを有する。ボス部１７ａは、円筒状に形成され、回転軸１４においてコンプレッサ１３側の端部が段部１４ｂを介して細径に形成された部分に嵌め入れられ、当該段部１４ｂに当接して軸方向で位置決めされており、スラスト軸受２３の挿通穴２３ａに回転軸１４と共に挿通される。フランジ部１７ｂは、ボス部１７ａにおいて段部１４ｂに当接する部分で径方向外側に突出した円盤部材であり、軸方向でジャーナル軸受２２側のスラスト軸受２３の板面２３ｃに対面して配置される一方の対面部１７ｂａと、軸方向でジャーナル軸受２２の側面部２２ｄと間隔Ｄをおいて対面して配置される他方の対面部１７ｂｂと、を有する。
【００３５】
スラストスリーブ１８は、図３に示すように、ボス部１８ａおよびフランジ部１８ｂを有する。ボス部１８ａは、円筒状に形成され、回転軸１４においてコンプレッサ１３側の端部の細径に形成された部分に嵌め入れられ、スラストリング１７におけるボス部１７ａのコンプレッサ１３側の端面に当接して軸方向で位置決めされている。フランジ部１８ｂは、ボス部１８ａにおいてスラストリング１７のボス部１７ａに当接する部分で径方向外側に突出した円盤部材であり、軸方向でコンプレッサ１３側のスラスト軸受２３の板面２３ｄに対面して配置される一方の対面部１８ｂａと、軸方向でコンプレッサ１３側からスラスト軸受２３側に向く油溜空間１９ａを形成する油溜部１９に対面して配置される他方の対面部１８ｂｂと、を有する。
【００３６】
すなわち、スラストリング１７およびスラストスリーブ１８は、それぞれフランジ部１７ｂ，１８ｂの一方の対面部１７ｂａ，１８ｂａの間にスラスト軸受２３を挟むように配置される。このため、スラスト軸受２３は、スラストリング１７およびスラストスリーブ１８を介して回転軸１４の軸方向の移動を規制する。
【００３７】
なお、油溜部１９は、軸方向でスラスト軸受２３のコンプレッサ１３側に隣接して設けられ、油溜空間１９ａを回転軸１４の周囲に沿って配置し、かつ油溜空間１９ａの下方が開放して第三空間部Ｓ３の下方に通じるように形成されている。油溜部１９は、油溜部１９の下側にて延出する舌片１９ｂを有し、油溜空間１９ａは、舌片１９ｂを介して第三空間部Ｓ３の下方に通じている。この油溜部１９は、図１では、ディフレクターにより構成されている。ディフレクターは、板状に形成されており、インサート部２０とスラスト軸受２３との間に取り付けられている。インサート部２０は、ベアリングハウジング１５Ｃの第二空間部Ｓ２と第三空間部Ｓ３との間の隔壁をなし、スラストスリーブ１８のボス部１８ａを回転軸１４と共に挿通し、ベアリングハウジング１５Ｃに対してスラスト軸受２３と共にディフレクターを支持する。
【００３８】
また、スラスト軸受２３は、通路２３ｂが形成されている。通路２３ｂは、基端部が第五供給通路４５の先端部に連通し、先端部が挿通穴２３ａに連通している。このため、第五供給通路４５から通路２３ｂを介して挿通穴２３ａに供給された潤滑油は、スラスト軸受２３の各板面２３ｃ，２３ｄとフランジ部１７ｂ，１８ｂのそれぞれの対面部１７ｂａ，１８ｂａの間に導かれる。従って、スラスト軸受２３は、対面部１７ｂａ，１８ｂａの間で回転軸１４の軸方向の移動を規制しつつ、フランジ部１７ｂ，１８ｂのそれぞれの対面部１７ｂａ，１８ｂａとの間に供給された潤滑油により対面部１７ｂａ，１８ｂａとの摩擦抵抗を低減される。
【００３９】
スラスト軸受２３において、スラストスリーブ１８のフランジ部１８ｂの対面部１８ｂａ側では、潤滑油は、回転軸１４の回転の遠心力により径方向外側に送られ、一部がフランジ部１８ｂの外周部を伝わってフランジ部１８ｂの下側にて第三空間部Ｓ３の下方へ流れ、一部が油溜部（ディフレクター）１９の油溜空間１９ａに至る。従って、油溜空間１９ａに至った潤滑油は、油溜部１９の舌片１９ｂを伝って第三空間部Ｓ３の下方へ流れる。一方、スラストリング１７のフランジ部１７ｂの対面部１７ｂａ側では、潤滑油は、回転軸１４の回転の遠心力により径方向外側に送られる。フランジ部１７ｂの外周部は、ベアリングハウジング１５Ｃとの間に隙間４８が形成され、当該隙間４８は、第三空間部Ｓ３の下方に通じている。従って、対面部１７ｂａ側で径方向外側に送られた潤滑油は、隙間４８を通じて第三空間部Ｓ３の下方へ流れる。
【００４０】
また、スラスト軸受２３に隣接するジャーナル軸受２２において、外周面２２ｂ側および内周面２２ｃ側に供給された潤滑油は、タービン１２側では、支持部１６の通路１６ｂから第三空間部Ｓ３の下方へ流れる。一方、スラスト軸受２３に隣接するジャーナル軸受２２において、外周面２２ｂ側および内周面２２ｃ側に供給された潤滑油は、スラスト軸受２３側では、側面部２２ｄ側に流れ、対面するスラストリング１７のフランジ部１７ｂの対面部１７ｂｂにおいて回転軸１４の回転の遠心力により径方向外側に送られて隙間４８を通じて第三空間部Ｓ３の下方へ流れる。
【００４１】
なお、図には明示しないが、ベアリングハウジング１５Ｃは、第三空間部Ｓ３の下方に潤滑油排出管の基端部が連結されている。潤滑油排出管は、先端部がオイルパンに連結されている。オイルパンは、潤滑油供給通路４０の第一供給通路４１が連結された潤滑油タンクに潤滑油循環ラインで接続されている。潤滑油循環ラインは、オイルポンプとオイルフィルタが介在されており、オイルポンプによりオイルフィルタで不純物が濾過された潤滑油をオイルパンから潤滑油循環ラインを介して潤滑油タンクに送る。そして、この潤滑油タンクから第一供給通路４１に潤滑油が供給される。
【００４２】
図４は、本実施形態に係る排気タービン過給機の他の例の全体構成図である。
【００４３】
図４に示す排気タービン過給機１１は、図１に示す排気タービン過給機１１に対して異なる構成の油溜部２０を有し、他の構成は同様である。従って、図４に示す排気タービン過給機１１については、油溜部２０のみ説明し、他の構成には同一の符号を付して説明を省略する。
【００４４】
油溜部２０は、軸方向でスラスト軸受２３のコンプレッサ１３側に隣接して設けられ、油溜空間２０ａを回転軸１４の周囲に沿って配置し、かつ油溜空間２０ａの下方が開放して第三空間部Ｓ３の下方に通じるように形成されている。この油溜部２０は、図４では、ディフレクターを有さずインサート部により構成されている。図４において、インサート部は、ベアリングハウジング１５Ｃの第二空間部Ｓ２と第三空間部Ｓ３との間の隔壁をなし、スラストスリーブ１８のボス部１８ａを回転軸１４と共に挿通し、ベアリングハウジング１５Ｃに対してスラスト軸受２３を支持する。
【００４５】
そして、スラスト軸受２３は、第五供給通路４５から通路２３ｂを介して挿通穴２３ａに供給された潤滑油は、スラスト軸受２３の各板面２３ｃ，２３ｄとフランジ部１７ｂ，１８ｂのそれぞれの対面部１７ｂａ，１８ｂａの間に導かれる。このスラスト軸受２３において、スラストスリーブ１８のフランジ部１８ｂの対面部１８ｂａ側では、潤滑油は、回転軸１４の回転の遠心力により径方向外側に送られ、一部がフランジ部１８ｂの外周部を伝わってフランジ部１８ｂの下側にて第三空間部Ｓ３の下方へ流れ、一部が油溜部（インサート部）２０の油溜空間２０ａに至る。従って、油溜空間２０ａに至った潤滑油は、第三空間部Ｓ３の下方へ流れる。
【００４６】
以下、本実施形態における軸受装置について図５〜図１３を参照して説明する。本実施形態の軸受装置は、上述した油溜部１９，２０およびスラスト軸受２４に係る。
【００４７】
図５は、本実施形態に係る軸受装置の一例を示す拡大斜視図である。図６は、本実施形態に係る軸受装置の一例を示す拡大正面図である。図７は、図６におけるＡ−Ａ断面図である。図８は、図６におけるＢ−Ｂ断面図である。図９は、本実施形態に係る軸受装置の一例を示す拡大正面図である。
【００４８】
図５〜図８では、インサート部により構成される油溜部２０を示している。油溜部２０は、スラスト軸受２３側に、図５〜図８に示すように、油溜空間２０ａを形成する凹部が設けられている。また、油溜部２０は、その中心に、スラストスリーブ１８のボス部１８ａを回転軸１４と共に挿通する挿通穴２０ｂが形成されている。そして、図６において回転軸１４は、挿通穴２０ｂを中心として左回り（反時計回り）に回転する。
【００４９】
油溜空間２０ａは、回転軸１４の回転方向において、回転軸１４の中心を通過する水平面（図６におけるＡ−Ａ線）Ｈの下側から上側に向かう部分を始端αとし、当該始端αから挿通穴２０ｂを中心として左回りに挿通穴２０ｂ（回転軸１４）を囲むように、ほぼ一周回って終端βに至り円弧を描く溝状に形成されている。また、油溜空間２０ａは、図６〜図８に示すように、始端αから終端βに向かって溝深さや溝幅が漸次拡大して形成されている。
【００５０】
そして、油溜部２０は、油溜空間２０ａにおいて、回転軸１４の中心を通過する水平面Ｈ以下の領域（図６におけるＡ−Ａ線以下の領域）に終端βが形成され、図８に示すように、この終端βにおいてスラスト軸受２３側に突出しつつ回転軸１４の回転方向に沿って傾斜する傾斜面２０ａａが形成されている。傾斜面２０ａａの最も突出した位置が油溜空間２０ａの終端βとなる。
【００５１】
この油溜空間２０ａが向くスラスト軸受２３は、図９に示すように、回転軸１４が挿通される挿通穴２３ａを有して円板状に形成され、回転軸１４の中心を通過する水平面Ｈ以下の領域に切欠２３ｅが形成されている。この切欠２３ｅにより油溜空間２０ａの下方が開放して第三空間部Ｓ３の下方に通じ、切欠２３ｅ以外の油溜空間２０ａの部分が閉塞された空間となる。また、切欠２３ｅは、油溜空間２０ａの形状に沿って形成され、油溜空間２０ａの終端βに切欠２３ｅの開口端２３ｅａが一致するように形成されている。すなわち、スラスト軸受２３の切欠２３ｅの開口端２３ｅａは、油溜部２０の油溜空間２０ａの傾斜面２０ａａの最も突出した終端βと一致するため、傾斜面２０ａａと連続して設けられることになる。また、スラスト軸受２３の切欠２３ｅの開口端２３ｅａは、油溜部２０の油溜空間２０ａの傾斜面２０ａａと連続する傾斜面を有して形成されている。
【００５２】
このような構成において、油溜空間２０ａに至った潤滑油は、スラスト軸受２３の切欠２３ｅにより油溜空間２０ａから第三空間部Ｓ３の下方へ流れるが、回転軸１４の回転方向において、図６に矢印で示すように、油溜空間２０ａの始端αから終端βに、挿通穴２０ｂ（回転軸１４）を中心として左回り（反時計回り）に流動する。そして、油溜空間２０ａの終端βでは、図８に矢印で示すように、流動する潤滑油は、傾斜面２０ａａに案内されてスラスト軸受２３側に送り出され、スラスト軸受２３側の切欠２３ｅにより開放された外側であって第三空間部Ｓ３の下方に流れる。この結果、油溜空間２０ａを流動する潤滑油が始端αから再流入することを阻止でき、スラスト軸受２３での潤滑油の排出性を向上することができる。
【００５３】
また、傾斜面２０ａａが形成された油溜空間２０ａの終端βに切欠２３ｅの開口端２３ｅａが一致していると、切欠２３ｅの開口端２３ｅａで傾斜面２０ａａに案内された潤滑油が切られることになり、油溜空間２０ａを流動する潤滑油が始端αから再流入することを阻止する効果を顕著に得ることができる。
【００５４】
また、切欠２３ｅの開口端２３ｅａが傾斜面を有して形成されていることで、切欠２３ｅの開口端２３ｅａで傾斜面２０ａａに案内された潤滑油が開口端２３ｅａの傾斜面によりさらに開放された外側に案内されつつ切られることになり、油溜空間２０ａを流動する潤滑油が始端αから再流入することを阻止する効果をより顕著に得ることができる。
【００５５】
図１０は、本実施形態に係る軸受装置の一例を示す拡大斜視図である。図１１は、本実施形態に係る軸受装置の一例を示す拡大正面図である。図１２は、図１１におけるＣ−Ｃ断面図である。図１３は、図１１におけるＤ−Ｄ断面図である。
【００５６】
図１０〜図１３では、ディフレクターにより構成される油溜部１９を示している。油溜部１９は、スラスト軸受２３側に、図１０〜図１３に示すように、油溜空間１９ａを形成する凹部が設けられている。また、油溜部１９は、その中心に、スラストスリーブ１８のボス部１８ａを回転軸１４と共に挿通する挿通穴１９ｃが形成されている。そして、図１１において回転軸１４は、挿通穴１９ｃを中心として左回り（反時計回り）に回転する。
【００５７】
油溜空間１９ａは、回転軸１４の回転方向において、回転軸１４の中心を通過する水平面（図１１におけるＣ−Ｃ線）Ｈの下側から上側に向かう部分を始端αとし、当該始端αから挿通穴１９ｃを中心として左回りに挿通穴１９ｃ（回転軸１４）を囲むように、ほぼ一周回って終端βに至り円弧を描き形成されている。
【００５８】
そして、油溜部１９は、油溜空間１９ａにおいて、回転軸１４の中心を通過する水平面Ｈ以下の領域（図１１におけるＣ−Ｃ線以下の領域）に終端βが形成され、図１３に示すように、この終端βにおいてスラスト軸受２３側に突出しつつ回転軸１４の回転方向に沿って傾斜する傾斜面１９ａａが形成されている。傾斜面１９ａａの最も突出した位置が油溜空間１９ａの終端βとなる。
【００５９】
この油溜空間１９ａが向くスラスト軸受２３は、図９に示すように、回転軸１４が挿通される挿通穴２３ａを有して円板状に形成され、回転軸１４の中心を通過する水平面Ｈ以下の領域に切欠２３ｅが形成されている。この切欠２３ｅにより油溜空間１９ａの下方が開放して第三空間部Ｓ３の下方に通じ、切欠２３ｅ以外の油溜空間１９ａの部分が閉塞された空間となる。また、切欠２３ｅは、油溜空間１９ａの形状に沿って形成され、油溜空間１９ａの終端βに切欠２３ｅの開口端２３ｅａが一致するように形成されている。すなわち、スラスト軸受２３の切欠２３ｅの開口端２３ｅａは、油溜部１９の油溜空間１９ａの傾斜面１９ａａの最も突出した終端βと一致するため、傾斜面１９ａａと連続して設けられることになる。また、スラスト軸受２３の切欠２３ｅの開口端２３ｅａは、油溜部１９の油溜空間１９ａの傾斜面１９ａａと連続する傾斜面を有して形成されている。
【００６０】
このような構成において、油溜空間１９ａに至った潤滑油は、スラスト軸受２３の切欠２３ｅにより油溜空間１９ａから第三空間部Ｓ３の下方へ流れるが、回転軸１４の回転方向において、図１１に矢印で示すように、油溜空間１９ａの始端αから終端βに、挿通穴１９ｃ（回転軸１４）を中心として左回り（反時計回り）に流動する。そして、油溜空間１９ａの終端βでは、図１３に矢印で示すように、流動する潤滑油は、傾斜面１９ａａに案内されてスラスト軸受２３側に送り出され、スラスト軸受２３側の切欠２３ｅにより開放された外側であって第三空間部Ｓ３の下方に流れる。この結果、油溜空間１９ａを流動する潤滑油が始端αから再流入することを阻止でき、スラスト軸受２３での潤滑油の排出性を向上することができる。
【００６１】
また、傾斜面１９ａａが形成された油溜空間１９ａの終端βに切欠２３ｅの開口端２３ｅａが一致していると、切欠２３ｅの開口端２３ｅａで傾斜面１９ａａに案内された潤滑油が切られることになり、油溜空間１９ａを流動する潤滑油が始端αから再流入することを阻止する効果を顕著に得ることができる。
【００６２】
また、切欠２３ｅの開口端２３ｅａが傾斜面を有して形成されていることで、切欠２３ｅの開口端２３ｅａで傾斜面１９ａａに案内された潤滑油が開口端２３ｅａの傾斜面によりさらに開放された外側に案内されつつ切られることになり、油溜空間１９ａを流動する潤滑油が始端αから再流入することを阻止する効果をより顕著に得ることができる。
【符号の説明】
【００６３】
１１  排気タービン過給機
１２  タービン
１３  コンプレッサ
１４  回転軸
１５  ハウジング
１９  油溜部（ディフレクター）
１９ａ  油溜空間
１９ａａ  傾斜面
２０  油溜部（インサート部）
２０ａ  油溜空間
２０ａａ  傾斜面
２３  スラスト軸受
２３ｅ  切欠
２３ｅａ  開口端
Ｈ  水平面
【図１】
0006596569.tif 000002
【図２】
0006596569.tif 000003
【図３】
0006596569.tif 000004
【図４】
0006596569.tif 000005
【図５】
0006596569.tif 000006
【図６】
0006596569.tif 000007
【図７】
0006596569.tif 000008
【図８】
0006596569.tif 000009
【図９】
0006596569.tif 000010
【図１０】
0006596569.tif 000011
【図１１】
0006596569.tif 000012
【図１２】
0006596569.tif 000013
【図１３】
0006596569.tif 000014